(57)【要約】【課題】  大雨が降って水路を多量の水が流れるときに、仕切装置の上流側の水位が過大にならないようにする。【解決手段】  水路を跨ぐ部材に、アーム６の後端を回転自在に支持し、アームの先に堰板８を支持する。堰板８の上部に、切欠くようにして横長の越流口１２を形成し、この越流口を開閉するために、堰板の上流側面に、越流口の両側に位置するように、上下方向のガイドレール１６を２本固定し、これらガイドレールの間に、鋼板製のシャッタ１４をスライド自在にはめ込む。水路上に支柱２２を立て、これに手動ウインチ２４を取り付け、そのワイヤドラム２４ｂに巻き取られたワイヤロープ２６の下端は、シャッタ１４の両側下部に固定された連結金具２８に止着する。【選択図】  図１
2005036509.tif 000002
【特許請求の範囲】
【請求項１】
水路を跨ぐ支持部材に回動できるようにアームの一端を支持し、該アームの先に水路の横断面に適合する形状を持った堰板を支持し、該堰板の上部に切り欠くようにして越流口を形成し、該越流口を挟んで上下方向に延びるの左右一対のガイドレールを該堰板に固定し、これらガードレールの間に該越流口を開閉するシャッタをスライド自在にはめ込み、該シャッタから上方に導かれたロープを水路上のウインチで巻き取るようにした水路の仕切装置。
【発明の詳細な説明】
【技術分野】
【０００１】
この発明は、農業用等の水路を開閉するための仕切装置に関する。
【背景技術】
【０００２】
農業用等の水路では、取水口が水面より低くならないよう、取水口の下流側に仕切装置（水門）を設けて、水を溜められるようになっている。しかし、大雨が降ったときゲートを越えるようにして大量の水が流れ、越流水深が大きくなって上流側の水位が過大に上昇し、道路や田畑が水浸しになることがある。
【発明の開示】
【発明が解決しようとする課題】
【０００３】
この発明は、大雨が降って水路を多量の水が流れるときに、仕切装置の上流側の水位が過大にならないようにすることを課題とする。
【課題を解決するための手段】
【０００４】
この水路の仕切装置は、水路を跨ぐ支持部材に回動できるようにアームの一端を支持し、アームの先に、水路の断面に適合する形状を持った堰板を支持する。堰板の上部には切り欠くようにして越流口を形成し、この越流口を挟んで上下方向に延びるの左右一対のガイドレールを堰板に固定し、これらガードレールの間に越流口を開閉するシャッタをスライド自在にはめ込む。そしてこのシャッタから上方に導かれたロープを水路上のウインチで巻き取るようにしたものである。なお、ロープは鎖でもよく、本願明細書ではロープの語は鎖を含む意味で用いる。
【０００５】
堰板を水路上に引き上げた状態でウインチからロープをゆっくり繰り出していくと、アームが回動しながら堰板が水路内に降下して行き、やがて、堰板の下縁が水路の底に着き、堰板の上流側に水を溜めることができるようになる。この状態でさらにウインチからロープを繰り出すと、ガイドレールに沿ってシャッタが降下し、堰板上部の越流口が徐々に開いていく。
【０００６】
越流口が全開した状態から、今度はウインチでロープを巻き上げると、ガイドレールに沿ってシャッタが上昇して越流口が徐々に閉じ、最終的に全閉する。この状態からさらにロープを巻き取ると、シャッタといっしょに堰板が水路上に上がってくる。
【発明の効果】
【０００７】
このように本願発明に係る水路の仕切装置は、堰板の上部に切欠くように形成した越流口の開閉がウインチ操作でできるので、大雨が降ったときになどに越流口を容易かつ迅速に開くことができ、上流側の水位上昇を抑えることができる。また、堰板の上げ下げと、越流口の開閉シャッタの上げ下げとが同じウインチででき、構造がシンプルであって安価に提供することができる。
が本願発明の特徴である。
【発明を実施するための最良の形態】
【０００８】
この装置はラジアル式ゲートであり、図１〜３に示すように、水路２の上に長方形の支持枠４を設置し、この支持枠４の下流側辺を構成する支持部材４ａに、アーム６の後端を回転自在に支持する。アーム６は２本有り、これらが同じように動くように、両アームの中央部を部材６ａで連結する。図２に示すように、アーム６は上流側に延びており、これに堰板８を支持する。堰板は水路２の断面に適合した形状を持った鋼板で、下縁と左右縁にはシールパッキン１０を取り付け、これが水路２の壁面または底面に接して、水が漏れないようにする。
【０００９】
堰板８の上部には、切欠くようにして横長の越流口１２を形成する。この越流口を開閉するために、堰板の上流側面に、越流口の両側に位置するように、上下方向のガイドレール１６を２本固定し、これらガイドレールの間に、鋼板製のシャッタ１４をスライド自在にはめ込む（図１、図４）。シャッタ１４の周縁（上縁を除く）にはシールパッキン２０を取り付け、堰板８との間から水が漏らないようする。
【００１０】
支持枠４の上流側に２本の支柱２２を立て、これら支柱に手動ウインチ２４を取り付ける。ウインチは連結軸２４ａで結合された２つのワイヤドラム２４ｂがあり、各ドラムに巻き取られたワイヤロープ２６の下端は、シャッタ１４の両側下部に固定された連結金具２８に止着する。なお、シャッタ１４がガイドレールの上に抜け出ることがないよう、堰板８に連結金具２８が当接するストッパ１８を設ける（図１）。符号３０は支持枠４に延設した操作台、符号３１は手摺である。
【００１１】
いま、図２にＡ状態として示すように、堰板８が水路に着底し、シャッタ１４が下がって越流口１２が全開しているとする。この状態では越流口１２の下縁とほぼ同レベルまでしか水を溜めることができないが、もっと高い水位まで水を溜めたいときは、手動ウインチ２４のハンドル２４ｃを回して、ワイヤロープ２６をドラム２４ｂに巻き取り、シャッタ１４を引き上げる。こうすると、シャッタ１４がガイドレール１６に沿って上昇し、これによって越流口１２は下から徐々に閉じられていく。こうしてシャッタ１４を適当なところで止めれば、シャッタの上縁の高さとほぼ同じレベルまで、水を溜めることができる。
【００１２】
図２のＢ状態は、越流口１２が全閉するまでシャッタ１４を引き上げた状態を示しており、この状態では、最も高いレベルまで水を溜めることができる。このＢ状態からさらにウインチでロープを巻き取ると、シャッタに固定されている連結金具２８がストッパ１８に突き当たり（図１）、シャッタ１４を介して堰板８が上に引かれる。こうして、堰板８はアーム６を回動させながら水路の上に引き上げられ、水路の水は自由に流れるようになる。図のＣ状態は堰板８が最も高い位置まで引き上げられた状態を示す。
【００１３】
このＣ状態から、今度はウンインチのハンドルをこれまでと反対方向に回し、ドラムからワイヤロープを繰り出すと、アームを回動させながら堰板８が自重で降下し、Ｂ状態さらにはＡ状態に達する。
【００１４】
この装置の通常時の使い方は、堰板をいっぱいに下ろして水路に着底させ、上流側に溜める水のレベルは、シャッタの高さを変えることで調節する。大雨が降って水量が多くなったときは、堰板はそのままにして、シャッタ１４を下げ越流口１２を全開にして、上流側水位が過大にならないようにする。
【図面の簡単な説明】
【００１５】
【図１】仕切装置の横断面図である。
【図２】仕切装置の縦断面図である。
【図３】仕切装置の平面図である。
【図４】図１のＸ−Ｘ断面図である。
【符号の説明】
【００１６】
２  水路
４ａ  支持部材
６  アーム
８  堰板
１２  越流口
１４  シャッタ
１６  ガイドレール
１８  ストッパ
２４  ウインチ
２６  ワイヤロープ
【図１】
2005036509.tif 000003
【図２】
2005036509.tif 000004
【図３】
2005036509.tif 000005
【図４】
2005036509.tif 000006